(57)【特許請求の範囲】
【請求項１】
センタ装置と、ＩＳＤＮレイヤ２構成がポイント−マルチポイント構成で接続されるＩＳＤＮ通信機器とをＩＳＤＮ回線を介して接続することにより構成され、ＩＳＤＮのネットワークサービスの１つであるＤチャネルパケット交換による通信およびＪＴ−Ｑ９３１で規定される中断・再開の手順を行うことができるＩＳＤＮシステムであって、
ポイント−マルチポイント構成で接続される前記ＩＳＤＮ通信機器は、
所定の手順により端末の識別番号を設定する端末識別番号設定手段と、
バス配線に接続されたことを検知し、センタ装置に自動発信し、Ｄチャネルパケット交換接続により通信チャネルの形成を行う通信チャネル形成手段と、
前記発信時に前記端末識別番号設定手段により設定された識別番号を論理チャネル番号として設定する論理チャネル番号設定手段と、
前記通信チャネルを介してセンタ装置から受信したデータ内容を解析し、必要により自動的に記憶または表示するデータ解析手段と、
ＩＳＤＮ回線への呼制御を行う際には、前記通信チャネルを使用して、センタ装置に対して前記呼制御の情報を通知し、センタ装置からの応答を受信した後、ＩＳＤＮ回線への呼制御を行う呼制御手段と
を有し、
ＩＳＤＮ回線を収容する前記センタ装置は、
前記ＩＳＤＮ通信機器からのＤチャネルパケット交換接続により形成した通信チャネルを、発アドレスと論理チャネル番号とを対応付けて記憶管理する通信チャネル記憶管理手段と、
前記通信チャネルを介して受信したデータ内容を解析し、送信元に対して受信したデータ内容に対応する応答データを送信するとともに、前記通信チャネル記憶管理手段により記憶管理されている情報を参照し、他の論理チャネルに対して前記応答データ毎に対応する特定のデータを送信する特定データ送信手段と
を有し、
ポイント−マルチポイント構成で接続されたＩＳＤＮ通信機器から呼制御処理を行う際には、センタ装置に対してセンタ装置との間で形成した通信チャネルを介して呼制御情報を通知し、前記通知に対する応答に従って回線に対して呼制御処理を行うとともに、センタ装置を介して同一バス配線下に接続された他のＩＳＤＮ通信機器に対して回線の使用状態、呼情報、設定内容を含む情報を通知すること
を特徴とするＩＳＤＮシステム。
【請求項２】
ポイント−マルチポイント構成で接続されたＩＳＤＮデジタルコードレス機器間でハンドオーバ制御を行う場合、網に対して中断・再開手順を使用することを特徴とする請求項１記載のＩＳＤＮシステム。
【請求項３】
ポイント−マルチポイント構成で接続されたＩＳＤＮ通信機器は、発信時にセンタ装置に対して着番号情報要素を通知する着番号情報要素通知手段と、引き続きセンタ装置から受信した着番号情報要素を使用して回線に対して呼制御処理を行う呼制御処理手段とを有し、
前記センタ装置は、受信した着番号情報要素に応じて最適な電気通信事業者を選択し、この選択した電気通信事業者コードを前記着番号情報要素に付与して通知する電気通信事業者コード通知手段を有し、発信時に最適な電気事業者の選択を行うことを特徴とする請求項１記載のＩＳＤＮシステム。
【請求項４】
前記ＩＳＤＮシステムはボタン電話システムであることを特徴とする請求項１または３記載のＩＳＤＮシステム。
【発明の詳細な説明】
【０００１】
【発明の属する技術分野】
本発明は、ＩＳＤＮレイヤ２構成がポイント−マルチポイント構成で接続されるＩＳＤＮ通信機器がＩＳＤＮ回線を介して接続されて構成されＩＳＤＮシステムに関する。
【０００２】
【従来の技術】
ＩＳＤＮレイヤ２構成でポイント−マルチポイント構成で接続されるＩＳＤＮ通信機器においては、配線形態がポイント−マルチポイント配線形態（以下、バス配線と称する）である場合、１回線当たり最大８台のＩＳＤＮ通信機器を接続することができるようになっている。
【０００３】
【発明が解決しようとする課題】
しかしながら、バス配線されたＩＳＤＮ通信機器においては、従来、個々がＩＳＤＮ回線に対して呼制御を独立して行い、端末間でシステムとして連動する機能がないため、次のような問題がある。
【０００４】
（１）バス配線に接続されたＩＳＤＮ端末間で他の端末の回線使用状態がわからないという問題がある。
【０００５】
（２）バス配線に接続されたＩＳＤＮ端末間で、一旦応答した呼を他の端末に転送するには、ＪＴ−Ｑ９３１で規定されている中断・再開の手順を使用すれば可能であるが、本手順においては中断時に指定した番号を再開時に入力する必要がある。このため、転送先に対して口頭で前記番号を通知する必要があり、転送元で転送先ＩＳＤＮ端末を指定して自動的に転送することができないという問題がある。
【０００６】
（３）電気通信事業者が提供するネットワークサービスを利用する際に必要となる設定をバス配線に接続されたＩＳＤＮ端末のすべてに対して行う必要があるため、接続台数が増加するに応じて面倒になるという問題がある。
【０００７】
本発明は、上記に鑑みてなされたもので、その目的とするところは、バス配線に接続されたＩＳＤＮ通信機器に対してシステムとして連動させることができるＩＳＤＮシステムを提供することにある。
【０００８】
【課題を解決するための手段】
上記目的を達成するため、請求項１記載の本発明は、センタ装置と、ＩＳＤＮレイヤ２構成がポイント−マルチポイント構成で接続されるＩＳＤＮ通信機器とをＩＳＤＮ回線を介して接続することにより構成され、ＩＳＤＮのネットワークサービスの１つであるＤチャネルパケット交換による通信およびＪＴ−Ｑ９３１で規定される中断・再開の手順を行うことができるＩＳＤＮシステムであって、ポイント−マルチポイント構成で接続される前記ＩＳＤＮ通信機器は、所定の手順により端末の識別番号を設定する端末識別番号設定手段と、バス配線に接続されたことを検知し、センタ装置に自動発信し、Ｄチャネルパケット交換接続により通信チャネルの形成を行う通信チャネル形成手段と、前記発信時に前記端末識別番号設定手段により設定された識別番号を論理チャネル番号として設定する論理チャネル番号設定手段と、前記通信チャネルを介してセンタ装置から受信したデータ内容を解析し、必要により自動的に記憶または表示するデータ解析手段と、ＩＳＤＮ回線への呼制御を行う際には、前記通信チャネルを使用して、センタ装置に対して前記呼制御の情報を通知し、センタ装置からの応答を受信した後、ＩＳＤＮ回線への呼制御を行う呼制御手段とを有し、ＩＳＤＮ回線を収容する前記センタ装置は、前記ＩＳＤＮ通信機器からのＤチャネルパケット交換接続により形成した通信チャネルを、発アドレスと論理チャネル番号とを対応付けて記憶管理する通信チャネル記憶管理手段と、前記通信チャネルを介して受信したデータ内容を解析し、送信元に対して受信したデータ内容に対応する応答データを送信するとともに、前記通信チャネル記憶管理手段により記憶管理されている情報を参照し、他の論理チャネルに対して前記応答データ毎に対応する特定のデータを送信する特定データ送信手段とを有し、ポイント−マルチポイント構成で接続されたＩＳＤＮ通信機器から呼制御処理を行う際には、センタ装置に対してセンタ装置との間で形成した通信チャネルを介して呼制御情報を通知し、前記通知に対する応答に従って回線に対して呼制御処理を行うとともに、センタ装置を介して同一バス配線下に接続された他のＩＳＤＮ通信機器に対して回線の使用状態、呼情報、設定内容を含む情報を通知することを要旨とする。
【０００９】
請求項１記載の本発明にあっては、ポイント−マルチポイント構成で接続されたＩＳＤＮ通信機器から呼制御処理を行う際には、センタ装置に対してセンタ装置との間で形成した通信チャネルを介して呼制御情報を通知し、この通知に対する応答に従って回線に対して呼制御処理を行うとともに、センタ装置を介して同一バス配線下に接続された他のＩＳＤＮ通信機器に対して回線の使用状態、呼情報、設定内容を含む情報を通知するため、バス配線に接続されるＩＳＤＮ通信機器に対してシステムとして連動させることができる。
【００１０】
また、請求項２記載の本発明は、請求項１記載の発明において、ポイント−マルチポイント構成で接続されたＩＳＤＮデジタルコードレス機器間でハンドオーバ制御を行う場合、網に対して中断・再開手順を使用することを要旨とする。
【００１１】
更に、請求項３記載の本発明は、請求項１記載の発明において、ポイント−マルチポイント構成で接続されたＩＳＤＮ通信機器は、発信時にセンタ装置に対して着番号情報要素を通知する着番号情報要素通知手段と、引き続きセンタ装置から受信した着番号情報要素を使用して回線に対して呼制御処理を行う呼制御処理手段とを有し、前記センタ装置は、受信した着番号情報要素に応じて最適な電気通信事業者を選択し、この選択した電気通信事業者コードを前記着番号情報要素に付与して通知する電気通信事業者コード通知手段を有し、発信時に最適な電気事業者の選択を行うことを要旨とする。
【００１２】
請求項４記載の本発明は、請求項１または３記載の発明において、前記ＩＳＤＮシステムはボタン電話システムであることを要旨とする。
【００１３】
【発明の実施の形態】
以下、図面を用いて本発明の実施の形態を説明する。図１は、本発明の一実施形態に係るＩＳＤＮシステムの構成を示す図である。同図において、１はセンタ装置、３はＩＳＤＮ回線、５はＤＳＵ装置（ＮＴ１）、７ａ〜７ｄはＩＳＤＮ通信機器（ＴＥ−１）〜（ＴＥ−４）である。
【００１４】
ＤＳＵ装置（ＮＴ１）５は、ＩＳＤＮ回線３を収容し、Ｉインタフェースの規定点の１つであるＴ点を提供する。ＩＳＤＮ通信機器（ＴＥ−１）〜（ＴＥ−４）７ａ〜７ｄは、バス配線に接続され、センタ装置１とともに本実施形態のＩＳＤＮシステムを構成している。
【００１５】
ＩＳＤＮ通信機器（ＴＥ−１）〜（ＴＥ−４）７ａ〜７ｄは、図１に示すように、センタ装置１とＩＳＤＮ回線３を介してＤチャネルパケット交換接続によりパケット通信を行っている。ＩＳＤＮ通信機器（ＴＥ−１）〜（ＴＥ−４）７ａ〜７ｄは、予め重複のないように内線番号に相当する端末番号が設定されていて、この端末番号を論理チャネル番号（ＬＣＮ）として使用してセンタ装置１とパケット通信を行う。センタ装置１では、パケット交換接続時の呼制御情報で通知される発番号とテーブル番号とを対応付け、更にテーブル番号を論理チャネルグループ番号として対応付けてパケット通信を行う。
【００１６】
また、同一回線として管理すべき端末か異なる回線からの端末かは、前記発番号で接続時に識別する。
【００１７】
各ＩＳＤＮ通信機器（ＴＥ）７は、図２（ａ）に示すように、ＩＳＤＮインタフェース制御部１１、呼制御処理部１２、ＩＳＤＮシステム制御部１３、マンマシーン制御部１４、および設定データ格納テーブル１５から構成されている。なお、図２（ａ）では、ＩＳＤＮ通信機器（ＴＥ）７の構成は、ハードウェアによる構成のように図示されているが、具体的には各ＩＳＤＮ通信機器（ＴＥ）７はソフトウェアで構成されるものであるので、同図の構成はソフトウェアの構成を示すものであるが、ＩＳＤＮ通信機器（ＴＥ）７はハードウェアで構成されてもよいし、またソフトウェアで構成されてもよいものである。また、図２（ａ）において、矢印付き点線はＤＴパケットの流れを示し、矢印付き二重線はＱ．９３１／Ｑ．９３２メッセージの流れを示している。
【００１８】
ＩＳＤＮインタフェース制御部１１は、ＩＳＤＮ回線３に対する呼制御処理などを行う。呼制御処理部１２はマンマシーン制御部１４からの入力情報に従ってＩＳＤＮインタフェース制御部１１に送信する呼制御情報を作成する。ＩＳＤＮシステム制御部１３は、ＩＳＤＮ回線３を介してパケット交換により接続されたセンタ装置１とのメッセージの送受信処理や呼制御処理部１２とのメッセージの送受信処理、およびマンマシーン制御部１４に対する表示制御指示を行う。また、ＩＳＤＮシステム制御部１３は、設定データ格納テーブル１５を管理し、必要に応じて設定内容の読み込み、書き込み処理を行う。設定データ格納テーブル１５は、各種端末における設定内容を保持する複数のレジスタで構成されるデータテーブルであり、これらのレジスタとして識別番号レジスタ１６、センタ番号レジスタ１７、各種設定データレジスタ１８を有する。
【００１９】
また、センタ装置１は、図２（ｂ）に示すように、ＩＳＤＮインタフェース制御部２１、呼制御処理部２２、ＩＳＤＮシステム制御部２３、システム管理テーブル２５、リソース状態管理テーブル２６、および設定データ管理テーブル２７から構成されている。なお、図２（ｂ）では、センタ装置１の構成は、ハードウェアによる構成のように図示されているが、具体的にはセンタ装置１はソフトウェアで構成されるものであるので、同図の構成はソフトウェアの構成を示しているものであるが、センタ装置１はハードウェアで構成されてもよいし、またソフトウェアで構成されてもよいものである。また、図２（ｂ）において、矢印付き点線はＤＴパケットの流れを示し、矢印付き二重線はＱ．９３１／Ｑ．９３２メッセージの流れを示している。
【００２０】
ＩＳＤＮインタフェース制御部２１は、ＩＳＤＮ回線３に対する呼制御処理などを行う。呼制御処理部２２は、ＩＳＤＮインタフェース制御部２１に送信する呼制御情報を作成する。ＩＳＤＮシステム制御部２３は、ＩＳＤＮ回線３を介してパケット交換により接続されたＩＳＤＮ端末とのメッセージの送受信処理や呼制御処理部２２とのメッセージの送受信処理を行う。ＩＳＤＮシステム制御部２３は、システム管理テーブル２５、リソース状態管理テーブル２６、設定データ管理テーブル２７を管理し、必要に応じて設定内容の読み込み、書き込みも行う。
【００２１】
システム管理テーブル２５は、図３（ａ）に示すように、回線番号毎にパケット通信により接続されている各種端末識別番号を論理チャネル番号（ＬＣＮ）として記憶管理する。リソース状態管理テーブル２６は、図３（ｂ）に示すように、回線番号毎にリソース状態を記憶管理する。なお、リソース状態としては、契約回線番号毎の情報チャネル（Ｂ１，Ｂ２）の状態を空き（未使用）に対しては０、使用中に対しては１、保留中に対しては２で管理する。設定データ管理テーブル２７は、図３（ｃ）に示すように、回線番号毎の設定データを記憶管理する。
【００２２】
次に、図４〜図１０に示すフローチャートを参照して、上述したように構成される本実施形態の作用について説明する。なお、図４〜図６は、端末であるＩＳＤＮ通信機器（ＴＥ−１）〜（ＴＥ−４）７ａ〜７ｄの処理を示すフローチャートであり、図７〜図９は、センタ装置１の処理を示すフローチャートであり、図１０は、図９の処理中におけるリソース状態処理を示すフローチャートである。
【００２３】
まず、図４に示すように、待機中にある例えばＩＳＤＮ通信機器（ＴＥ−１）〜（ＴＥ−４）７ａ〜７ｄのようなＩＳＤＮ端末が図１に示すような形態でポイント−マルチポイント構成で接続されたことを網からの給電の有無として検出すると（ステップＳ１）、予め定められた手順により設定された端末識別番号を参照し（ステップＳ２）、該番号を論理チャネル番号（ＬＣＮ）として使用して（ステップＳ３）、同じく予め定められた手順により設定されているセンタ装置１の回線番号に対してＤチャネルパケット交換接続モードで通信チャネルを形成するための呼制御処理を実行し（ステップＳ４）、該通信チャネルが形成されたことを判定し（ステップＳ５）、該通信チャネルの形成後に該通信チャネルを介して設定確認を行い（ステップＳ６）、接続中となる（ステップＳ７）。以降は内／外部からのイベント発生に伴うメッセージ受信待ちとなる。なお、図１に示すＩＳＤＮ通信機器（ＴＥ−１）〜（ＴＥ−４）７ａ〜７ｄも同様に接続されたことを検出すると、上述したステップＳ１〜Ｓ７の処理を行う。
【００２４】
この時、センタ装置１は、図７に示すように、イベント検出待ちの状態から着信検出判定を行う（ステップＳ９１〜Ｓ９５）。すなわち、センタ装置１は、イベントを検出すると（ステップＳ９１）、該イベントの判定処理を行い（ステップＳ９２）、この判定結果に応じて着信処理（ステップＳ９３）またはＤＴパケット解析プロセス（ステップＳ９４）を行い、またイベント待ちの状態に戻る（ステップＳ９５）。
【００２５】
そして、着信処理においては、図８に示すように、着信時に検出した発番号からシステム管理テーブル２５を参照し（ステップＳ１１１）、該当する発番号に相当するテーブル管理番号の有無を判定する（ステップＳ１１２）。テーブル番号がない場合には、発番号と対応付けテーブル番号を生成し（ステップＳ１１３）、該テーブル番号に相当するＤＴパケット解析プロセスを生成する（ステップＳ１１４）。
【００２６】
それから、ステップＳ１１５において、パケット通信による着信接続処理を行い、受信したメッセージから論理チャネル番号（ＬＣＮ）を検出し（ステップＳ１１６）、該テーブル番号に対応する論理チャネル番号（ＬＣＮ）の活性フラグをオン（１）に設定する（ステップＳ１１７）。以降は、前記生成されたＤＴ解析プロセスに引き継がれる。
【００２７】
次に、以降の動作を説明するため、すべての起動のトリガがＩＳＤＮ通信機器（ＴＥ−１）７ａから行われた場合で説明する。
【００２８】
ＩＳＤＮ通信機器（ＴＥ−１）７ａから発信を行う場合には、ＩＳＤＮシステム制御部１３において発信要求を呼制御処理部１２から受信する（ステップＳ１１）。そして、発信要求を受信すると、センタ装置１との間で形成されているパケット通信チャネル（以下、センタチャネルと称する）を介して発信要求を行い（ステップＳ１２）、応答を受信した後（ステップＳ１３）、呼制御処理部１２に対して発信表示を行うとともに（ステップＳ１４）、発信表示の情報要素を参照し、呼制御処理部１２に対して呼制御処理を行わせ（ステップＳ１５）、接続中となる（ステップＳ８４）。
【００２９】
ここで、センタ装置１に対する発信要求において、網に送出すべき呼制御情報要素をあわせて通知することにより、例えばセンタ装置１において着番号情報要素において事業者コードを付与した呼制御情報要素を応答とあわせて通知し、端末側では前記応答により受信した呼制御情報に従って発信制御を行わせることにより、ＡＣＲ機能をセンタ装置１で提供することが可能となる。
【００３０】
この時、センタ装置１では、図９に示すように、発信要求を受信すると（ステップＳ１２１）、リソース状態処理を行う（ステップＳ１２２）。このリソース状態処理では、図１０に示すように、リソース状態管理テーブル２６において該テーブル番号に対応するリソースの状態を参照し（ステップＳ１７１）、リソース状態を変更し（ステップＳ１７２）、この変更したリソース状態を該テーブル番号に属する全論理チャネル番号（ＬＣＮ）に対して状態表示として通知する（ステップＳ１７３〜Ｓ１７６）。続いて、図９に示すように、着番号情報要素に対して前述したように最適な事業者コードを付与し応答とあわせて通知する（ステップＳ１２３，Ｓ１２４）。
【００３１】
ＩＳＤＮ通信機器（ＴＥ−１）〜（ＴＥ−４）７ａ〜７ｄは、センタチャネルから状態表示として前記リソース状態を受信すると、マンマシーン制御部１４に対して表示データを参照してＬＥＤ制御を行わせる（ステップＳ２１，Ｓ２２）。
【００３２】
切断要求の場合は、図５のステップＳ３１〜Ｓ３６、図９のステップＳ１３１〜Ｓ１３３、図１０のステップＳ１７１〜Ｓ１７６、および図５のステップＳ２１，Ｓ２２に示すように行われるが、この処理は発信要求の場合と同様の処理であるので、説明は省略する。
【００３３】
次に、例えばＩＳＤＮ通信機器（ＴＥ−１）７ａが通話中の呼をＩＳＤＮ通信機器（ＴＥ−２）７ｂに転送する場合について説明する。
【００３４】
ＩＳＤＮ通信機器（ＴＥ−１）７ａでは、呼制御処理部１２がマンマシーン制御部１４からの保留転送要求を検出すると、ＩＳＤＮシステム制御部１３に対して転送要求を通知し（ステップＳ５１）、中断のメッセージを生成するとともに、ＩＳＤＮインタフェース制御部１１を介して網に対して中断のための呼制御処理を行う（ステップＳ５２）。ＩＳＤＮシステム制御部１３は、呼制御処理部１２から中断の呼制御処理が完了したことを通知されると（ステップＳ５３）、中断の呼制御情報要素の１つである呼識別情報要素と前記保留転送要求に含まれる転送先端末識別番号情報とをあわせて、センタチャネルを介して前記呼識別時と転送先端末識別番号とをセンタ装置１に通知し（ステップＳ５４）、センタチャネルから応答の旨を受信した後（ステップＳ５５）、呼制御処理部１２に対して転送完了の旨の転送表示として通知する（ステップＳ５６）。
【００３５】
センタ装置１では、センタチャネルを介して転送要求を受信すると（ステップＳ１４１）、前記要求に含まれる情報要素から前記呼識別情報と転送先端末識別番号とを参照し（ステップＳ１４２）、リソース状態処理を行う（ステップＳ１４３）。この時、ＩＳＤＮ通信機器（ＴＥ−１）〜（ＴＥ−４）７ａ〜７ｄは、受信した状態表示を参照して、保留表示処理をマンマシーン制御部１４を介して行う。それから、転送先の論理チャネル番号（ＬＣＮ）に対して転送通知を送信し（ステップＳ１４４）、転送応答を受信した後（ステップＳ１４５）、転送先に対して転送完了の旨の応答を送信し（ステップＳ１４６）、リソース状態処理を行う（ステップＳ１４７）。この時、ＩＳＤＮ通信機器（ＴＥ−１）〜（ＴＥ−４）７ａ〜７ｄは、受信した状態表示を参照して、使用中表示処理をマンマシーン制御部１４を介して行う。
【００３６】
ＩＳＤＮ通信機器（ＴＥ−２）７ｂでは、ＩＳＤＮシステム制御部１３がセンタチャネルを介して転送通知を受信すると（ステップＳ１６１）、呼制御処理部１２を介して通知される転送応答の受信待ちとなり（ステップＳ１６２）、前記転送応答受信後、先に通知された転送通知に含まれる呼識別情報を参照し、呼制御処理部１２に対して再開要求を送信させる（ステップＳ１６３）。続いて、ＩＳＤＮシステム制御部１３は、呼制御処理部１２から再開確認の旨を受信すると（ステップＳ１６４）、センタチャネルを介して転送応答を通知するとともに、呼制御処理部１２に対して転送確認を通知する（ステップＳ６５，Ｓ６６）。
【００３７】
次に、ＩＳＤＮ通信機器（ＴＥ−１）７ａとＩＳＤＮ通信機器（ＴＥ−２）７ｂとが接続されている状態から、ネットワークサービス利用のためなどの設定を行った場合について説明する。
【００３８】
ＩＳＤＮ通信機器（ＴＥ−１）７ａでは、マンマシーン制御部１４を介して設定の旨の通知を受信すると（ステップＳ７１）、設定データ格納テーブル１５における各種設定データレジスタ１８に、通知された設定データを書き込み（ステップＳ７２）、該設定データを設定要求の情報要素に含めて、センタチャネルを介してセンタ装置１に送信する（ステップＳ７３，Ｓ７４）。
【００３９】
センタ装置１では、ＩＳＤＮシステム制御部２３がセンタチャネルを介して設定要求を受信すると（ステップＳ１５１）、前記要求に含まれる情報要素から設定データを参照し、設定データ管理テーブル２７にテーブル番号と関連付けて記憶し（ステップＳ１５２）、設定要求送信元に応答を送信するとともに（ステップＳ１５３）、該テーブル番号に属する論理チャネル番号（ＬＣＮ）に対して前記記憶した設定データを情報要素に持つ設定通知を送信する（ステップＳ１５４，Ｓ１５５）。
【００４０】
ＩＳＤＮ通信機器（ＴＥ−２）７ｂでは、センタチャネルを介してＩＳＤＮシステム制御部１３が設定通知を受信すると（ステップＳ８１）、前記通知に含まれる情報要素を参照し、設定データを設定データ格納テーブル１５における各種設定データレジスタ１８に書き込み（ステップＳ８２）、センタチャネルを介して書き込み完了の旨の応答を送信する（ステップＳ８３）。
【００４１】
次に、ＩＳＤＮ通信機器（ＴＥ−１）７ａおよびＩＳＤＮ通信機器（ＴＥ−２）７ｂが接続されている状態から、新たにＩＳＤＮ通信機器（ＴＥ−３）７ｃが接続された場合について説明する。
【００４２】
ＩＳＤＮ通信機器（ＴＥ−３）７ｃが図１に示すような形態でポイント−マルチポイント構成で接続されたことを網から給電の有無として検出すると（ステップＳ１）、予め設定された手順により設定された端末識別番号を参照し（ステップＳ２）、該番号を論理チャネル番号（ＬＣＮ）として使用して（ステップＳ３）、同様に予め定められた手順により設定されているセンタ装置１の回線番号に対してセンタチャネルを形成するための呼制御処理を実行し（ステップＳ４）、センタチャネルを形成する（ステップＳ５）。この時のセンタ側の処理は上述した通りである。ＩＳＤＮ通信機器（ＴＥ−３）７ｃでは、センタチャネル形成後にＩＳＤＮシステム制御部１３が引き続き該センタチャネルを介して設定確認を行う（ステップＳ６）。
【００４３】
また、センタ装置１では、ＩＳＤＮシステム制御部２３がセンタチャネルを介して設定確認を受信すると（ステップＳ１６１）、該チャネルのテーブル番号を参照し、設定データ管理テーブル２７から各種設定データを参照し（ステップＳ１６２）、前記設定データを情報要素に含む設定通知を送信する（ステップＳ１６３，Ｓ１６４）。
【００４４】
ＩＳＤＮ通信機器（ＴＥ−３）７ｃでは、センタチャネルを介してＩＳＤＮシステム制御部１３が設定通知を受信すると（ステップＳ８１）、前記通知に含まれる情報要素を参照し、設定データを設定データ格納テーブル１５における各種設定データレジスタ１８に書き込み（ステップＳ８２）、センタチャネルを介して書き込み完了の旨の応答を送信する（ステップＳ８３）。
【００４５】
【発明の効果】
以上説明したように、本発明によれば、ポイント−マルチポイント構成で接続されたＩＳＤＮ通信機器から呼制御処理を行う際には、センタ装置に対してセンタ装置との間で形成した通信チャネルを介して呼制御情報を通知し、この通知に対する応答に従って回線に対して呼制御処理を行うとともに、センタ装置を介して同一バス配線下に接続された他のＩＳＤＮ通信機器に対して回線の使用状態、呼情報、設定内容を含む情報を通知するため、バス配線に接続されるＩＳＤＮ通信機器に対してシステムとして連動させることができ、従来のようにＩＳＤＮ通信機器間で他の機器の回線使用状態がわからなかったり、転送先に口頭で番号を通知する必要がなくなり、操作性および効率を向上することができる。
【図面の簡単な説明】
【図１】本発明の一実施形態に係るＩＳＤＮシステムの構成を示す図である。
【図２】図１に示すＩＳＤＮシステムに使用されているＩＳＤＮ通信機器（ＴＥ）およびセンタ装置の構成を示すブロック図である。
【図３】図２（ｂ）に示すセンタ装置に設けられているシステム管理テーブル、リソース状態管理テーブル、設定データ管理テーブルの構成を示す図である。
【図４】図１に示すＩＳＤＮ通信機器（ＴＥ）の作用を示すフローチャートである。
【図５】図１に示すＩＳＤＮ通信機器（ＴＥ）の作用を示すフローチャートである。
【図６】図１に示すＩＳＤＮ通信機器（ＴＥ）の作用を示すフローチャートである。
【図７】図１に示すセンタ装置の作用を示すフローチャートである。
【図８】図１に示すセンタ装置の作用を示すフローチャートである。
【図９】図１に示すセンタ装置の作用を示すフローチャートである。
【図１０】図９の処理中におけるリソース状態処理を示すフローチャートである。
【符号の説明】
１  センタ装置
３  ＩＳＤＮ回線
５  ＤＳＵ装置（ＮＴ１）
７ａ〜７ｄ  ＩＳＤＮ通信機器（ＴＥ）
１１，２１  ＩＳＤＮインタフェース制御部
１２，２２  呼制御処理部
１３，２３  ＩＳＤＮシステム制御部
１４  マンマシーン制御部
１５  設定データ格納テーブル
２５  システム管理テーブル
２６  リソース状態管理テーブル
２７  設定データ管理テーブル
【図１】
0003753902.tif 000002
【図２】
0003753902.tif 000003
【図３】
0003753902.tif 000004
【図４】
0003753902.tif 000005
【図５】
0003753902.tif 000006
【図６】
0003753902.tif 000007
【図７】
0003753902.tif 000008
【図８】
0003753902.tif 000009
【図９】
0003753902.tif 000010
【図１０】
0003753902.tif 000011